(57)【要約】【課題】携帯用電子機器に関し、表示手段内の表示内容を、簡単な操作で希望する文字の大きさの状態などに移行させることができるものを実現することを目的とする。【解決手段】筐体１１に配設された第一操作手段２６用の押し釦１９を操作して得られる信号により、表示手段１５に表示される表示内容を、制御部３２の制御で少なくとも上下左右方向にスクロールさせ、かつ、第二操作手段３１用のリング状操作部１８を円周方向に操作して得られる信号により、上記表示手段１５に表示される表示内容を、上記制御部３２の制御で拡大縮小させるものとする。【選択図】　図２
2004070654.tif 000002
【特許請求の範囲】
【請求項１】
情報を表示する表示手段と、上記表示手段に表示された表示内容を少なくとも上下左右方向にスクロールするための第一操作手段と、上記第一操作手段とは異なる操作で、他の表示内容に変更させる第二操作手段と、上記表示手段ならびに上記第一および第二操作手段を制御する制御手段とを備え、上記第一操作手段の操作で得られる信号により、上記表示手段に表示される表示内容は、上記制御部の制御で少なくとも上下左右方向にスクロールされ、かつ、上記第二操作手段に対して円周方向に操作して得られる信号により、上記表示手段に表示される表示内容は、上記制御部の制御で拡大縮小される又はその階層や頁が移動される携帯用電子機器。
【請求項２】
第二操作手段をリング状操作部で構成し、上記リング状操作部の内側位置または外側位置に第一操作手段を並設した請求項１記載の携帯用電子機器。
【請求項３】
第二操作手段を、回転可能なリング状操作部で構成すると共に、その回転に応じた上記リング状操作部の回転方向と回転量を検出する出力信号が得られる構成とした請求項１記載の携帯用電子機器。
【請求項４】
第二操作手段が、第二操作手段上を円周方向に摺動操作した際に、その摺動操作に応じた回転操作方向と回転操作量を検出できる出力信号が得られる構成である請求項１記載の携帯用電子機器。
【請求項５】
第一操作手段として機能する機能部材を、第二操作手段を下方位置に配置し、上記第二操作手段に対する円周方向の操作とは異なる方向への操作で、上記機能部材を作動させる請求項４記載の携帯用電子機器。
【請求項６】
第二操作手段の操作部分などに、第一操作手段として機能する機能部材の位置を明示する明示手段を設けた請求項５記載の携帯用電子機器。
【請求項７】
第一操作手段を、押圧操作型または傾倒操作型の多方向スイッチとした請求項１記載の携帯用電子機器。
【請求項８】
第一操作手段を、トラックボール装置とした請求項１記載の携帯用電子機器。
【発明の詳細な説明】
【０００１】
【発明の属する技術分野】
本発明は、携帯電話やＰＤＡなどに代表される携帯用電子機器に関するものである。
【０００２】
【従来の技術】
近年、各種電子機器は、小型軽量化が進み、携帯電話やＰＤＡに代表される携帯用電子機器が普及している。
【０００３】
このような従来の携帯用電子機器について、図１３を用いて説明する。
【０００４】
図１３は従来の携帯用電子機器としての携帯電話の外観斜視図であり、同図において、１は略直方体状の筐体で、その操作面となる上面には、上方位置から受話部２、ＬＣＤなどからなる表示手段３、十字状の押し釦４を有する押圧操作型の多方向スイッチ５、テンキー部６、送話部７が順に配されている。
【０００５】
そして、筐体１の上部には、アンテナ８が配設されている。
【０００６】
また、筐体１内には、マイクロコンピュータ（図示せず）が装着された配線板（図示せず）などが収容されている。
【０００７】
このマイクロコンピュータは、制御部として機能し、上記の受話部２〜アンテナ８などを制御している。
【０００８】
このような構成の従来の携帯電話は、通常、表示手段３に表示された表示内容（例えば電話番号簿）などを視認しつつ、使用者は押し釦４を押圧して多方向スイッチ５を上下左右のいずれかの方向に操作する。
【０００９】
この操作で得られる多方向スイッチ５からの信号に応じてマイクロコンピュータが、所定の制御を行い、例えば、表示手段３内のカーソルの位置が、上記操作に応じた上下左右のいずれかの方向に順次移動される。
【００１０】
そして、使用者は、カーソルが所望の項目位置（例えば希望する電話番号）に合ったところで、確定用に割り当てられたスイッチなどを操作して、選択した項目を確定させて使用するものであった。
【００１１】
【発明が解決しようとする課題】
上記従来の携帯電話において、表示手段３の大きさは、近年徐々に大きくなってきたが、携帯用電子機器であるため、その大きさには限界がある。
【００１２】
一方、その決められた大きさの表示手段３の中で、表示手段３内に表示される文字や数字などの情報については、必要な情報ができるだけ多く表示されるものが望まれている。
【００１３】
しかしながら、上記のように限られた大きさである表示手段３の中で表示情報の量を多くすると、表示される字体などが小さくなってしまい、表示手段３の表示内容が見難くなってしまうという課題があった。
【００１４】
つまり、表示手段３内に小さい文字で情報量を多く表示させると、多方向スイッチ部５を操作して所望の項目を選択する際などに、使用者は各項目が視認し難く操作性に劣るものとなってしまう。
【００１５】
本発明は、このような従来の課題を解決するものであり、表示手段内の表示内容を、簡単な操作で希望する文字の大きさの状態などに移行させることができる携帯用電子機器を提供することを目的とする。
【００１６】
【課題を解決するための手段】
上記目的を達成するために本発明は、以下の構成を有するものである。
【００１７】
本発明の請求項１に記載の発明は、情報を表示する表示手段と、上記表示手段に表示された表示内容を少なくとも上下左右方向にスクロールするための第一操作手段と、上記第一操作手段とは異なる操作で、他の表示内容に変更させる第二操作手段と、上記表示手段ならびに上記第一および第二操作手段を制御する制御手段とを備え、上記第一操作手段の操作で得られる信号により、上記表示手段に表示される表示内容は、上記制御部の制御で少なくとも上下左右方向にスクロールされ、かつ、上記第二操作手段に対して円周方向に操作して得られる信号により、上記表示手段に表示される表示内容は、上記制御部の制御で拡大縮小される又はその階層や頁が移動される携帯用電子機器としたものであり、第二操作手段に対する円周方向への操作という簡単な操作で、表示手段に表示される表示内容を、使用者が希望する大きさの拡大または縮小表示状態に移行できるものが得られるという作用を有する。
【００１８】
また、上記表示内容の拡大または縮小以外にも、上記円周方向への操作に応じて、表示手段に表示された項目の階層や頁が移動するものとしても、操作性が向上したものとなる。
【００１９】
請求項２に記載の発明は、請求項１記載の発明において、第二操作手段をリング状操作部で構成し、上記リング状操作部の内側位置または外側位置に第一操作手段を並設したものであり、少ない指の移動で連続して第一および第二操作手段を操作できるようになるため、それらの連続操作を良好になすことができるものが得られるという作用を有する。
【００２０】
請求項３に記載の発明は、請求項１記載の発明において、第二操作手段を、回転可能なリング状操作部で構成すると共に、その回転に応じた上記リング状操作部の回転方向と回転量を検出する出力信号が得られる構成としたものであり、例えば出力信号として位相差をもつ二つのパルス信号が得られるインクリメンタルエンコーダをリング状操作部に機構的に組み合わせて構成したものとすると、１つの指をリング状操作部の所定箇所に置いて、リング状操作部を操作性良く回転操作でき、かつ、それに伴う出力信号により、リング状操作部が操作された回転方向と回転量が検出できるものとなるという作用を有する。
【００２１】
請求項４に記載の発明は、請求項１記載の発明において、第二操作手段が、第二操作手段上を円周方向に摺動操作した際に、その摺動操作に応じた回転操作方向と回転操作量を検出できる出力信号が得られる構成であるものであり、例えば摺動操作時における軽い押圧力で、所定の対向接点間を導通させていくような、対向接点を備えたメンブレンタイプのスイッチなどで薄型に構成できるという作用を有する。
【００２２】
請求項５に記載の発明は、請求項４記載の発明において、第一操作手段として機能する機能部材を、第二操作手段を下方位置に配置し、上記第二操作手段に対する円周方向の操作とは異なる方向への操作で、上記機能部材を作動させるものであり、第二操作手段に対して異なる方向への二種類の操作で、各々の機能を作動させることができるものにでき、当該操作部分の省スペース化が図れるという作用を有する。
【００２３】
請求項６に記載の発明は、請求項５記載の発明において、第二操作手段の操作部分などに、第一操作手段として機能する機能部材の位置を明示する明示手段を設けたものであり、第一操作手段としての機能部材を作動させる操作時の操作性が向上するという作用を有する。
【００２４】
請求項７に記載の発明は、請求項１記載の発明において、第一操作手段を、押圧操作型または傾倒操作型の多方向スイッチとしたものであり、第一操作手段への操作方向が、第二操作手段の操作方向とは異なるため、誤操作が少ないものになるという作用を有する。
【００２５】
請求項８に記載の発明は、請求項１記載の発明において、第一操作手段を、トラックボール装置としたものであり、第一操作手段に対する操作で、表示手段に表示された表示内容を、上下左右方向以外の方向にもスクロールできるものが容易に得られると共に、第一操作手段への操作方向は、第二操作手段の操作方向とは異なるため、誤操作も少ないものになるという作用を有する。
【００２６】
【発明の実施の形態】
以下、本発明の実施の形態について、図１〜図１２を用いて説明する。
【００２７】
（実施の形態１）
実施の形態１を用いて、本発明の特に請求項１〜３，７，８記載の発明について説明する。
【００２８】
図１は本発明の第１の実施の形態による携帯用電子機器としての携帯電話の外観斜視図、図２は同要部である第一および第二操作手段の構成を説明するための断面図、図３は同要部である第一および第二操作手段の構成を説明するための分解斜視図であり、同図において、１１は、外形が略直方体状で中空の筐体で、この筐体１１は、上方の第一ケース１２と下方の第二ケース１３とが組み合わされて構成されている。
【００２９】
そして、この筐体１１は、上面１１Ａが操作面に構成されており、上面１１Ａの上方位置には受話部１４、ＬＣＤなどからなる表示手段１５が、また上面１１Ａの下方位置にはテンキー部１６、送話部１７が配されると共に、その表示手段１５とテンキー部１６との間の位置には、回転操作が可能なリング状操作部１８が配設されている。
【００３０】
また、リング状操作部１８の内側には、筐体１１の上下左右方向に向けて傾倒操作可能なように一つの押し釦１９が、回転規制をなされた状態で配されている。
【００３１】
そして、筐体１１の上部には、アンテナ２０が配設されている。
【００３２】
一方、筐体１１内にはプリント配線基板２１が位置決め収容されており、上記押し釦１９と対向するプリント配線基板２１上の位置には、自己復帰型で押圧操作タイプの四つのスイッチ素子２２〜２５（図３参照）が配され、押し釦１９下面に設けられた押圧凸部１９Ａ〜１９Ｄ（図３参照）のそれぞれは、各スイッチ素子２２〜２５に対応して上方に位置している。
【００３３】
つまり、この押し釦１９とスイッチ素子２２〜２５とによって多方向操作スイッチが構成されており、これが第一操作手段２６として機能する（図２参照）。
【００３４】
なお、スイッチ素子２２〜２５の詳細構成は図示していないが、それぞれは、プリント配線基板２１上に配された少なくとも二つの固定接点と、円形ドーム状に形成された自己復帰型の可動接点とから構成され、可動接点上から押圧されると可動接点は反転動作して上記二つの固定接点間を導通させ、押圧力を除くと可動接点が自らの復元力で元の形状に戻り、上記固体接点間が離間するものに構成されている。
【００３５】
一方、リング状操作部１８は、プリント配線基板２１に装着された取付台２７に回転可能に係合すると共に、外周に突出形成されている鍔部１８Ａは、取付台２７と上方の第一ケース１２との間に所定の隙間を持つように挿通されて抜け止めがなされている。
【００３６】
さらに、このリング状操作部１８の下面には、Ｎ極とＳ極が所定角度間隔で交互に着磁されているリング磁石２８が、リング状操作部１８の回転と共回り可能なように固着されている。
【００３７】
なお、図２のみに示しているが、リング状操作部１８下面とリング磁石２８との間には磁性板２９が配され、上方へのリング磁石２８の磁界漏れを防止してある。
【００３８】
このリング磁石２８の回転に伴う磁界の変化を検出するための磁気センサ３０は、リング磁石２８と上下方向で対向するプリント配線基板２１上に、角度位置をずらせて二つ装着されている。
【００３９】
そして、この二つの磁気センサ３０からのパルス出力を比較演算することにより、リング磁石２８の回転方向や回転量が判別できるようになっている。
【００４０】
つまり、このリング磁石２８と磁気センサ３０で、磁気式のインクリメンタルエンコーダが構成され、リング状操作部１８の回転操作状態が判別できるものとなっている。
【００４１】
そして、このインクリメンタルエンコーダ部分を含むリング状操作部１８が、第二操作手段３１として機能するものである（図２参照）。
【００４２】
上記第一および第二操作手段２６および３１、ならびにその他の機能部分である受話部１４、表示手段１５、テンキー部１６、送話部１７、アンテナ２０などは、図４のブロック図に示すように、プリント配線基板２１に配されているマイクロコンピュータなどからなる制御部３２（図４以外は図示せず。）に各々接続されて制御されている。
【００４３】
例えば、制御部３２は、第一または第二操作手段２６または３１からの信号が入力されると、その入力信号に応じて表示手段１５の表示内容を切り換えるなどの制御を行う。
【００４４】
本実施の形態１による携帯電話は、以上のように構成されるものであり、次にその動作について説明する。
【００４５】
まず、第一操作手段２６としての多方向操作スイッチを押圧操作する、例えば筐体１１における上下左右方向の内、下方向に対応する押し釦１９の端部に対し、図５の断面図中に矢印で示すように押し下げ操作すると、押し釦１９のみが、その押圧された部分が下方に下がるように傾倒していき、それに伴い当該位置下面の押圧凸部１９Ｄが下方に下がってスイッチ素子２５を押圧して作動させ、このスイッチ素子２５の状態が切換わったという信号が制御部３２に入力される。
【００４６】
そして、制御部３２は、上記入力信号に基づき、例えば表示手段１５の表示内容やカーソルの位置を下方向に順次スクロールさせる。
【００４７】
そして、その押し釦１９への押圧力を除くと、スイッチ素子２５は自らの復元力で元の形状などに復帰して押し釦１９を押し上げ、図２に示す通常状態に戻る。
【００４８】
また、押し釦１９の他の端部位置を押圧操作して他のスイッチ素子２２〜２４を作動させた場合も、表示手段１５などは制御部３２で制御されて、所定状態に移行すること、またその押圧力を除くと押し釦１９は、図２に示す通常状態に戻ることは上記の場合と同じである。
【００４９】
そして、本実施の形態１による携帯電話は、上記第一操作手段２６の押圧操作とは独立して操作可能な第二操作手段３１を有している点、特にその第二操作手段３１の操作部分として、円周方向への操作が容易なリング状操作部１８を用いていることを大きな特徴とするものである。
【００５０】
このリング状操作部１８は、上述のように第一操作手段２６とは独立して回転操作可能な構成で、その回転操作に伴ってインクリメンタルエンコーダの出力が得られる構成となっており、以下に、その操作内容やそれに伴う動作などについて電話番号検索の場合を例として説明する。
【００５１】
まず、使用者は、第一操作手段２６やテンキー部１６などを操作して、図６に示すように、表示手段１５に電話番号簿を表示させる。
【００５２】
この電話番号簿は、同図に示すように、「あ行」、「か行」…の各々の行ごとに一頁が構成され、それらが「あ行」を先頭にして、その後方に「か行」、「さ行」…の順で重ねて配列されたものとなっている。
【００５３】
そして、各頁は、一人の名前と対応する電話番号が列方向に並べて連記され、それが「あいうえお」順で、多列に配設された構成となっており、表示手段１５には、その上方部分のみが表示されていると共に、カーソル３３で、選択している項目が判別できるものとなっている。
【００５４】
この電話番号簿は、第一操作手段２６の上下方向および左右方向への各押圧操作によって、所定頁内の上下方向への一項目ずつのスクロールおよび、各々の行の頁への一枚ごとの移動がなされるように、制御部３２で制御されている。
【００５５】
そして、一人の名前と対応する電話番号の文字の大きさは、従来の携帯電話よりも小さい文字の大きさで表示され、従来のものよりも多くの列が表示手段１５内に表示されるようになっている。
【００５６】
そして、使用者は、第一操作手段２６への所定操作で、表示手段１５の表示内容を上下左右方向にスクロールしていき、希望する項目が表示手段１５内に表示された状態とする。
【００５７】
続いて、所望の人の電話番号を確実に選択操作するために、第二操作手段３１の操作部分であるリング状操作部１８を右回転させる操作を行う。
【００５８】
つまり、リング状操作部１８の一点を、一つの指で軽く押しつつ、時計回りの円周方向に向けて移動操作する。
【００５９】
これに伴いリング状操作部１８は、自らが右回転し、上記回転に伴ってリング磁石２８も共回りして磁界の変化が発生し、その磁界の変化を検出した磁気センサ３０からは、所定のパルス信号が発せられ、上記信号は制御部３２に入力される。
【００６０】
そして、制御部３２は、上記回転操作によって入力されたインクリメンタルエンコーダからの入力信号から、リング状操作部１８の回転操作方向と回転操作量を検出し、それを基にして、表示手段１５の表示情報の文字などの大きさを、図７に示すように、カーソル３３の位置を中心とし、カーソル３３を含めて拡大表示させる。
【００６１】
なお、その拡大表示の基準点は、カーソル３３の位置を中心とすれば、現在選択している項目を含めて拡大表示されるため、使い易いものとなるが、表示手段１５の中心位置などの他の部分を基準としてもよい。
【００６２】
また、カーソル３３以外にも、矢印状などで表示手段１５に表示されるポインタを基準としてもよい。
【００６３】
一方、リング状操作部１８を左回転させる操作を行うと、制御部３２は、表示手段１５に表示された文字などの表示情報を縮小表示させる。
【００６４】
なお、上記の拡大または縮小表示のときにも、第一操作手段２６が操作されると、その表示状態を保ったままで、制御部３２の制御によって、押圧操作された方向に合わせて、表示画面のスクロールまたは頁移動などがなされるようになっている。
【００６５】
このように、本実施の形態１による携帯電話は、第一操作手段２６での操作で表示手段１５内の選択位置が上下左右に移動できると共に、第二操作手段３１の操作で表示内容を拡大または縮小表示させることができるものであるから、表示手段１５の表示状態を使用者の好みに合わせてリング状操作部１８を用いて容易に設定したり移行させることが可能なものである。
【００６６】
そして、第一および第二操作手段２６および３１は、押圧操作および回転操作という異なる操作方向での操作で各機能を作動させるものであるため、操作形態が混同し難く誤操作も少ないものとなる。
【００６７】
また、第二操作手段３１の操作部分をリング状操作部１８とし、かつ、その内側に第一操作手段２６の操作部分となる押し釦１９を併設しているため、少ない指の移動で、容易に連続して押圧操作から回転操作、または回転操作から押圧操作が行えるものである。
【００６８】
また、表示手段１５の表示内容を拡大縮小させるための第二操作手段３１への操作を、リング状操作部１８に対する回転操作で行うようにしているため、使用者は表示状態を視認しつつ連続的な回転操作を行い、自らが希望する表示内容の大きさを容易に設定することができる。
【００６９】
なお、上記には、リング状操作部１８に対し、右方向への回転操作で拡大表示、左方向への回転操作で縮小表示を例として説明したが、その逆であってもよい。
【００７０】
また、切り替えスイッチなどで、その回転方向と拡大縮小との関連設定を適宜選択可能なものとしてもよい。
【００７１】
さらに、リング状操作部１８に対する回転操作速度に合わせて、拡大または縮小スピードを同期させると、表示内容の大きさが操作感覚に整合して変わるため、操作応答性がよい使い易いものとなる。
【００７２】
そして、この第二操作手段３１の信号による表示手段１５の制御内容は、上記に説明した表示内容の拡大縮小以外に用いてもよく、例えば上記図６で説明した電話番号簿の配列状態のものであれば、第二操作手段３１の円周方向への操作に合わせて頁移動を行う、つまり、その回転量に合う頁送りや頁戻しを行うものなどに適用することもできる。
【００７３】
また、第二操作手段３１の操作で、上記の頁移動と同様にして階層移動を行うものとしてもよい。
【００７４】
さらに、以上に説明した第二操作手段３１の操作に応じてなされる拡大縮小、頁移動や階層移動という機能は、所定スイッチなどの操作で必要な機能に切り換えて使用可能にする構成としてもよい。
【００７５】
なお、上記には第一操作手段２６を押圧操作型の多方向操作スイッチの事例を説明したが、スティックタイプの多方向操作スイッチ、タッチパネルスイッチ、トラックボール装置などにしてもよく、表示手段１５の内容を上下左右方向などにスクロールするための操作ができるものであればよい。
【００７６】
第一操作手段２６としてトラックボール装置を用いた場合には、第一操作手段２６の操作時に上下左右の四方向に固定されずに使用できるため、カーソル３３またはポインタの移動が、例えば八方向のものにでき、その方向での画面スクロールを可能とすると共に、第二操作手段３１で拡大縮小などをするものとすると、さらに利便性の優れたものになる。
【００７７】
なお、第一操作手段２６は、できるだけ第二操作手段３１に近接する位置に配置する方が、連続操作する際に良好に操作でき、上記に説明した第二操作手段３１の内側に第一操作手段２６を配置すると、使用面積範囲も少なく二つの操作手段２６と３１とが配置されたものにできる。
【００７８】
その他、図８の上面図に示すように、第二操作手段３１の操作部分であるリング状操作部１８の外側を囲むように、複数の押圧型スイッチ３４（同図は、押圧型スイッチ３４を四つ配設した事例を示す。）を第一操作手段３５として配すると、各々の押圧型スイッチ３４の操作部分は、大きい面積が取れるようになるため、第一操作手段３５の操作性が向上する。
【００７９】
なお、本発明は、第二操作手段３１の操作部分を円周方向に回転操作することによって、使用者が、自らの好みに合う表示手段１５の表示状態などに容易に移行させて使用し易くすることを主旨としているものであるため、第一および第二操作手段は、近接しない位置に分離して配してあってもよい。
【００８０】
（実施の形態２）
実施の形態２を用いて、本発明の特に請求項４〜６記載の発明について説明する。
【００８１】
本実施の形態２による携帯用電子機器としての携帯電話は、実施の形態１のものと第一および第二操作手段の構成が異なり、その他の部分の構成や第二操作手段で表示手段１５内の表示内容の拡大縮小などの制御が制御部３２で行えることなどは、実施の形態１の場合と同じであるため、その部分は同一符号を付して詳細な説明は省略する。
【００８２】
図９は、本発明の第２の実施の形態による携帯電話の要部である第一および第二操作手段の構成を説明するための断面図である。
【００８３】
本実施の形態２による携帯電話は、同図に示すように、上方の第一ケース４１と下方の第二ケース４２が組み合わされて構成された筐体４３に対し、第二操作手段となる上面視略円形で、上面中央に窪み４４Ａを有するゴム性操作部４４が、その第一ケース４１の円形孔４１Ａから外方に突出して配設されたものとなっている。
【００８４】
また、同図９および図１０の分解斜視図に示すように、このゴム性操作部４４は、外周に薄肉のスカート部４５、およびスカート部４５に繋がる周辺部４６を有し、上記周辺部４６は、上方の第一ケース４１と筐体４３内に位置決め収容されたプリント配線基板４７で挟み込まれて保持されている。
【００８５】
なお、ゴム性操作部４４の上面中央に設けた窪み４４Ａは、後述する摺動操作時の目安として設けられたものである。
【００８６】
そして、このゴム性操作部４４の下面には、導電性ゴムからなるリング状押圧部４８が配されていると共に、その外周の同心的な位置で、かつ上記筐体４３の上下左右方向に合わせられて、導電性ゴムからなる押圧凸部４９が互いに直交関係になる四箇所に配設されている。
【００８７】
なお、押圧凸部４９が設けられている位置を明示する明示手段として、ゴム性操作部４４の上面、もしくは筐体４３の第一ケース４１上などに、所定のマーク表示や凹凸などを構成しておくと、操作時に使い易いものとなる。
【００８８】
これらのリング状押圧部４８および押圧凸部４９は、通常状態ではプリント配線基板４７に対して所定間隔を保った対向状態となっているが、リング状押圧部４８の方が、押圧凸部４９よりもプリント配線基板４７に近接するように配されている。
【００８９】
そして、このリング状押圧部４８に所定間隔を持って対向するプリント配線基板４７上の位置には、互いに独立した第二独立接点５０が複数個、等角度ピッチで略リング状になるように配置されている。
【００９０】
また、上記押圧凸部４９に所定間隔をもって対向するプリント配線基板４７上の位置には、互いに独立した四個の第一独立接点５１が配されている。
【００９１】
そして、上記第二および第一独立接点５０および５１は、各々が櫛歯状接点で構成され、リング状押圧部４８および押圧凸部４９がショートバーとして接触することにより、各々導通状態になるように構成されている。
【００９２】
なお、第二および第一独立接点５０および５１の各々の引き出し部分については図示を省略する。
【００９３】
以上の構成において、押圧凸部４９と第一独立接点５１とが、第一操作手段５２として機能し、リング状押圧部４８と第二独立接点５０とが、第二操作手段５３として機能する構成となっている。
【００９４】
すなわち、本実施の形態２によるものは、第二操作手段５３の操作部分となるゴム性操作部４４の下方に第一操作手段５２として機能する機能部材が配された構成になっているものである。
【００９５】
また、第一および第二独立接点５１および５０と押圧凸部４９およびリング状押圧部４８とは、各々が、いわゆる対向接点に構成されたものであり、上記のように対向接点を有するようなメンブレンタイプのスイッチ構成とすると、厚みの薄いものにできる。
【００９６】
次に、本実施の形態２による携帯電話の動作について以下に説明するが、本実施の形態２による第二操作手段５３のゴム性操作部４４は、実施の形態１のものとは異なり、独立して回転移動操作ができないものであるため、第二操作手段５３を作動させる操作時には、ゴム性操作部４４上からの摺動操作によって操作するものとなる。
【００９７】
また、ゴム性操作部４４の下方に第一操作手段５２として配設されている機能部材（押圧凸部４９と第一独立接点５１）を作動させる時には、ゴム性操作部４４上からの押圧操作によって操作するものとなる。
【００９８】
つまり、表示手段１５内に表示された表示内容を、上下左右のいずれかの方向にスクロールするために、まず使用者は、図１１に矢印で示すように、希望する方向に対応する位置に配設された第一操作手段５２としての機能部材の一つを作動させるべく、その位置に応じたゴム性操作部４４の端部位置を強い押圧力で押圧操作する。
【００９９】
このとき、上述したように明示手段を配しておけば、押圧箇所が視認し易く操作性が向上する。
【０１００】
押圧されたゴム性操作部４４は、スカート部４５が撓んで当該方向に傾倒し、対応する下面位置のリング状押圧部４８の一部、および対応する押圧凸部４９の一つが、プリント配線基板４７上に連続的に当接していく。
【０１０１】
このとき、リング状押圧部４８の一部が先にプリント配線基板４７上の第二独立接点５０と当接し、その後に押圧凸部４９の一つがプリント配線基板４７上の対応する第一独立接点５１の一つに当接する。
【０１０２】
なお、導電ゴムからなるリング状押圧部４８は、弾性を有し、プリント配線基板４７上に当接した後でも弾性変形していくものであるから、リング状押圧部４８が先にプリント配線基板４７に当接しても、その後の押圧操作に対して与える影響は少ない。
【０１０３】
そして、上記当接状態となった第二独立接点５０および第一独立接点５１は、各々の櫛歯間が短絡されることになるため、導通状態になる。
【０１０４】
これらの導通信号は、実施の形態１によるものと同じく、制御部３２に入力される（図４参照）。
【０１０５】
このときに、制御部３２は、第二独立接点５０の導通信号が入力された後、予め設定されている所定時間内で、上記第一独立接点５１の一つからの導通信号が入力され、かつ、この第一独立接点５１の一つからの導通信号が所定時間連続して続いて入力された場合には、この第一独立接点５１の導通信号のみを選択して、傾倒操作方向に整合した方向に、表示手段１５内の表示内容をスクロールする制御をする。
【０１０６】
すなわち、表示手段１５は、第一操作手段５２が機能した状態に制御される。
【０１０７】
そして、押圧力を除くと、ゴム性操作部４４は、スカート部４５が元の形状に復元する力で、図９に示す通常状態に戻る。
【０１０８】
一方、使用者が、上記ゴム性操作部４４に対し、上記の押圧操作時の操作力よりも弱い力で押圧しつつ、上面中央の窪み４４Ａを中心とした円周方向で上面を摺動操作すると、図１２の断面図に示すように、ゴム性操作部４４は、スカート部４５が少し撓んだ状態となって少し傾倒して、リング状押圧部４８の一部のみがプリント配線基板４７上の第二独立接点５０に当接している状態となる。
【０１０９】
このとき、ゴム性操作部４４に対しての操作状態は、円周方向に向けて摺動操作をなされているため、導通状態となる第二独立接点５０は、摺動操作方向に合わせて順次移動していくようになる。
【０１１０】
そして、それらの信号は制御部３２に入力されて判別され、この第二独立接点５０の導通状態の移動方向や移動速度の判別結果に応じて、制御部３２は、実施の形態１に説明したような表示手段１５内の表示内容の拡大縮小などの制御を行う。
【０１１１】
すなわち、このときに第二操作手段５３が機能した状態に制御される。
【０１１２】
なお、上記摺動操作の場合に、摺動操作力の強さの加減によって、第一独立接点５１が導通状態となる可能性もあるが、上記に記載したように、制御部３２は、第一独立接点５１の導通状態が所定時間以上続いたときに第一独立接点５１からの信号を選択するという判定を行っているため、上記所定時間の長さを適宜設定することにより、摺動操作時に第二独立接点５０からの導通状態が容易に選択できるものとなる。
【０１１３】
また、第二独立接点５０の導通状態が、所定時間内で所定方向に順次切換わっていくことが判別された場合に、第一独立接点５１からの信号を無視するように制御部３２で判定してもよい。
【０１１４】
そして、上記摺動操作をやめると、ゴム性操作部４４は、押圧操作の場合と同様に、図９に示す通常状態に戻る。
【０１１５】
このように、本実施の形態２によるものであっても、第一および第二操作手段５２および５３を作動させる操作を各々行うことにより、実施の形態１の場合と同じく表示手段１５の表示内容などを、使用者は好みに合わせて容易に設定することができる。
【０１１６】
そして、本実施の形態２によるものは、第二操作手段５３の操作部分となる一つのゴム性操作部４４の下方位置に、第一操作手段５２として機能する機能部材を含めて配したものにできるため、コンパクトな構成のものとなる。
【０１１７】
また、一つのゴム性操作部４４に対し、摺動操作と押圧操作を行う構成のものであるため、ゴム性操作部４４から指を離さずに、上記両操作を連続して行うことも容易にでき、表示手段１５に表示される表示内容を、操作性良く使用者の好みに合う状態に移行させることができる。
【０１１８】
なお、ゴム性操作部４４の上部の形状として、複数個の円弧状部を略リング形状になるように並べて配設し、各々の円弧状部の下方に第一操作手段となる機能部材を配しても上記と同様な押圧および摺動操作が可能なものとなる。
【０１１９】
また、ゴム性操作部４４は、円周方向に設定してある摺動操作方向が判り易くなるため、略リング状とすることが好ましいが、その他の形状であっても良い。
【０１２０】
さらに、上記構成以外のもの、例えば第二操作手段の操作部分の下方にタッチパネル等を配設したものであっても同様の操作ができるものとなる。
【０１２１】
以上の実施の形態１および２の説明からも判るように、本発明は、第二操作手段に対し、円周方向への操作という簡単な操作で表示手段の表示内容を視認し易くするなどの制御を行うようにしたものであるため、使用者は、自らの好みに合う状態に容易かつ自在に設定して使用することができるものである。
【０１２２】
なお、本発明による構成は、上記の主旨を満たすものであれば、実施の形態１および２に説明した以外の構成であってもよい。
【０１２３】
【発明の効果】
以上のように本発明によれば、第二操作手段に対し円周方向に操作するという簡単な操作で、表示手段に表示される表示内容を、使用者が希望する状態に移行させることができる使い勝手の良い携帯用電子機器が実現できるという有利な効果が得られる。
【図面の簡単な説明】
【図１】本発明の第１の実施の形態による携帯用電子機器としての携帯電話の外観斜視図
【図２】同要部である第一および第二操作手段の構成を説明するための断面図
【図３】同要部である第一および第二操作手段の構成を説明するための分解斜視図
【図４】同携帯電話のブロック図
【図５】同要部である第一操作手段を作動させた状態を示す断面図
【図６】同要部である表示手段に初期状態の電話番号簿が表示された状態を示す図
【図７】同要部である第二操作手段を作動させた際の表示手段に表示された電話番号簿の状態を示す図
【図８】同要部である第一および第二操作手段の他の配置構成を示す部分上面図
【図９】本発明の第２の実施の形態による携帯用電子機器としての携帯電話の要部である第一および第二操作手段の構成を説明するための断面図
【図１０】同分解斜視図
【図１１】同要部である第一操作手段となる機能部材を作動させた状態を示す断面図
【図１２】同要部である第二操作手段を作動させた状態を示す断面図
【図１３】従来の携帯用電子機器としての携帯電話の外観斜視図
【符号の説明】
１１，４３　筐体
１１Ａ　上面
１２，４１　第一ケース
１３，４２　第二ケース
１４　受話部
１５　表示手段
１６　テンキー部
１７　送話部
１８　リング状操作部
１８Ａ　鍔部
１９　押し釦
１９Ａ〜１９Ｄ　押圧凸部
２０　アンテナ
２１，４７　プリント配線基板
２２〜２５　スイッチ素子
２６，３５　第一操作手段
２７　取付台
２８　リング磁石
２９　磁性板
３０　磁気センサ
３１　第二操作手段
３２　制御部
３３　カーソル
３４　押圧型スイッチ
４１Ａ　円形孔
４４　ゴム性操作部
４４Ａ　窪み
４５　スカート部
４６　周辺部
４８　リング状押圧部
４９　押圧凸部
５０　第二独立接点
５１　第一独立接点
５２　第一操作手段
５３　第二操作手段
【図１】
2004070654.tif 000003
【図２】
2004070654.tif 000004
【図３】
2004070654.tif 000005
【図４】
2004070654.tif 000006
【図５】
2004070654.tif 000007
【図６】
2004070654.tif 000008
【図７】
2004070654.tif 000009
【図８】
2004070654.tif 000010
【図９】
2004070654.tif 000011
【図１０】
2004070654.tif 000012
【図１１】
2004070654.tif 000013
【図１２】
2004070654.tif 000014
【図１３】
2004070654.tif 000015